(57)【特許請求の範囲】
【請求項１】
自局の属するエリア内に関連する情報を含むプッシュ型配信情報を自発的に送信する無線基地局から、該プッシュ型配信情報を受信するための受信手段と、
自端末の位置するエリアに関する認識を行う位置認識手段と、
前記位置認識手段による前記認識結果に基づいて前記プッシュ型配信情報を受信するか否かを決定する決定手段とを備えたことを特徴とする無線端末。
【請求項２】
前記決定手段は、前記認識結果に基づき自端末が同一のエリアに継続して存在している時間が所定時間を越えたと判断された場合に、前記プッシュ型配信情報を受信すると決定することを特徴とする請求項１に記載の無線端末。
【請求項３】
前記プッシュ型配信情報を受信すべきエリアに関する受信エリア情報を記憶するエリア情報記憶手段を更に備え、
前記決定手段は、前記認識結果により示される自端末の位置と前記受信エリア情報とに基づき自端末の位置が前記プッシュ型配信情報を受信すべきエリアに属すると判断された場合に、前記プッシュ型配信情報を受信すると決定することを特徴とする請求項１に記載の無線端末。
【請求項４】
自端末の利用者に関する利用者情報を記憶する利用者情報記憶手段と、
前記利用者情報に基づいて前記受信エリア情報を生成する受信エリア情報生成手段とを更に備えたことを特徴とする請求項３に記載の無線端末。
【請求項５】
前記プッシュ型配信情報の受信を禁止すべきエリアに関する禁止エリア情報を記憶するエリア情報記憶手段を更に備え、
前記決定手段は、前記認識結果により示される自端末の位置と前記禁止エリア情報とに基づき自端末の位置が前記プッシュ型配信情報の受信を禁止すべきエリアに属すると判断された場合に、前記プッシュ型配信情報の受信を禁止すると決定することを特徴とする請求項１に記載の無線端末。
【請求項６】
利用者による自端末への入力操作に基づいて前記エリア情報記憶手段に前記受信エリア情報を登録または削除する手段を更に備えたことを特徴とする請求項３ないし５のいずれか１項に記載の無線端末。
【請求項７】
自局の属するエリア内に関連する情報を含むプッシュ型配信情報を自発的に送信する無線基地局から、該プッシュ型配信情報を受信可能な無線端末における、情報受信制御方法であって、
自端末の位置するエリアに関する認識を行い、
前記自端末の位置の認識結果に基づいて、前記プッシュ型配信情報を受信するか否かを決定し、
受信すると決定された場合にのみ、前記プッシュ型配信情報を受信することを特徴とする情報受信制御方法。
【発明の詳細な説明】
【０００１】
【発明の属する技術分野】
本発明は、プッシュ型配信情報を送信する無線基地局がスポット的に配置される無線通信システムにおける無線端末及び情報受信制御方法に関する。
【０００２】
【従来の技術】
無線を利用して高速にマルチメディア情報をユーザに提供する無線通信システムとして、マルチメディア移動アクセスシステム（以下、ＭＭＡＣ（Ｍｕｌｔｉｍｅｄｉａ  Ｍｏｂｉｌｅ  Ａｃｃｅｓｓ  Ｃｏｍｍｕｎｉｃａｔｉｏｎ）システムと記述する）の標準化が進められている。このＭＭＡＣシステムのような高速伝送可能な無線通信システムを利用した様々なアプリケーションが検討されている。例えば、広告や緊急の情報等、多くの利用者に周知させたい情報がある場合、無線基地局と通信可能なすべての無線端末が情報を受信することが可能なように、無線基地局が情報を放送することが考えられる。
【０００３】
このような無線通信システムにおいて、無線端末は、無線基地局が放送した情報を受信する。無線端末は、情報を放送している無線基地局と通信可能になる度に、放送されている情報を受信する。従って、利用者が情報を受信するための動作を行なわずに、無線基地局から情報を受信することが可能となる。しかしその一方、利用者が情報の受信を希望しない場所においても、無線基地局が放送する情報を受信してしまう。これにより、無線端末は電池や記憶容量を浪費するという問題が生じる。
【０００４】
従来の無線端末の一例に関して、図２６のブロック図および図２７の流れ図を参照しつつ説明する。図２６は従来の技術に関わる無線端末の一例を示すブロック図であり、プッシュ型配信の情報を受信可能な無線端末の構成例を示す。また、図２７は従来の技術に関わる無線端末の動作の一例を示す流れ図である。
【０００５】
図２６に示されるように、無線端末２００１は、少なくとも、無線基地局が無線により送信する制御情報と、該無線端末２００１以外の装置の要求に基づいて（すなわち、無線端末１０１から要求することなく）該無線基地局が該無線端末２００１に対して無線により送信するプッシュ型配信情報とを受信する受信部２００２と、該受信部２００２を制御する受信制御部２００３を含んで構成される。これらに加えて、受信部２００２を介して受信した情報等を記憶しておく情報記憶装置や、該無線端末２００１に電力を供給する電池を含んで構成されることもある。
【０００６】
該無線端末２００１の受信部２００２は、無線基地局が無線により報知する制御情報を受信しており、該制御情報を受信可能であるか否かにより、受信制御部２００３は該無線端末２００１自身がサービスエリア内に存在するか否かを判断する（ステップＳ９１）。該無線端末２００１がサービスエリア内にいる場合には、受信制御部２００３は、無線基地局が送信するプッシュ型配信情報の受信を行なうように受信部２００２を制御する（ステップＳ９２）。
【０００７】
このような動作により、例えば鉄道の各駅に（当該駅の範囲内をサービスエリアとする）無線基地局を設置し、その無線基地局からその駅の周辺に関する広告情報や地域情報等をプッシュ型配信情報として送信する場合に、列車の乗客が携帯する無線端末は、列車が駅に停車する度に、あるいは列車が駅を通過するたびに、プッシュ型配信情報を受信してしまう。つまり、プッシュ型配信情報を送信する無線基地局を設置してある駅が経路上に数多く存在するような路線を利用する乗客の無線端末は、頻繁に大量の広告情報等を受信することとなり、その無線端末の利用者にとっては、希望しない情報を大量に受信することになり、無線端末の使い勝手が悪くなるという問題点がある。また、無線端末は、利用者の希望とは関係無く送信される広告情報等を大量に受信することにより、電池を消耗し、また情報記憶装置を無駄に消費することになり、利用者が希望する情報を受信しようとした際に、電池残量不足や、情報記憶装置の空き記憶容量の不足により、希望する情報を受信できなくなることが考えられる。さらに、特定の駅で乗降する可能性の非常に少ない乗客の無線端末にまで、広告情報等を送信することとなり、非効率的な広告配信を行なうこととなる。
【０００８】
【発明が解決しようとする課題】
従来、プッシュ型配信情報を送信する無線基地局がスポット的に配置される無線通信システムにおける無線端末では、それを携帯する利用者が移動してサービスエリアが変わるごとに次々と情報を受信し大量に蓄積してしまい、この結果、利用者側からみると情報を有効に利用できないという問題点、無線端末側からみると電池や記憶容量を浪費するという問題点、情報提供者側からみると自身が提供している情報を有効に利用して貰えないという問題点が生じる。
【０００９】
本発明は、上記事情を考慮してなされたもので、受信・蓄積されたプッシュ型配信情報を有効に利用可能とする無線端末及び情報受信制御方法を提供することを目的とする。
【００１０】
また、本発明は、電力消費や記憶装置の容量を無駄に消費することを防止しつつプッシュ型配信情報を受信可能にする無線端末及び情報受信制御方法を提供することを目的とする。
【００１１】
【課題を解決するための手段】
本発明（請求項１）に係る無線端末は、自局の属するエリア内に関連する情報を含むプッシュ型配信情報を自発的に送信する無線基地局から、該プッシュ型配信情報を受信するための受信手段と、自端末の位置するエリアに関する認識を行う位置認識手段と、前記位置認識手段による前記認識結果に基づいて前記プッシュ型配信情報を受信するか否かを決定する決定手段とを備えたことを特徴とする。
【００１２】
好ましくは、前記決定手段は、前記認識結果に基づき自端末が同一のエリアに継続して存在している時間が所定時間を越えたと判断された場合に、前記プッシュ型配信情報を受信すると決定するようにしてもよい。
【００１３】
好ましくは、前記プッシュ型配信情報を受信すべきエリアに関する受信エリア情報を記憶するエリア情報記憶手段を更に備え、前記決定手段は、前記認識結果により示される自端末の位置と前記受信エリア情報とに基づき自端末の位置が前記プッシュ型配信情報を受信すべきエリアに属すると判断された場合に、前記プッシュ型配信情報を受信すると決定するようにしてもよい。
【００１４】
好ましくは、自端末の利用者に関する利用者情報を記憶する利用者情報記憶手段と、前記利用者情報に基づいて前記受信エリア情報を生成する受信エリア情報生成手段とを更に備えるようにしてもよい。
【００１５】
好ましくは、自端末の利用者に関する利用者情報を記憶する利用者情報記憶手段と、前記利用者情報を他の装置に渡し、該他の装置において該利用者情報に基づいて生成された受信エリア情報を該他の装置から取得する受信エリア情報取得手段とを更に備えるようにしてもよい。
【００１６】
好ましくは、前記プッシュ型配信情報の受信を禁止すべきエリアに関する禁止エリア情報を記憶するエリア情報記憶手段を更に備え、前記決定手段は、前記認識結果により示される自端末の位置と前記禁止エリア情報とに基づき自端末の位置が前記プッシュ型配信情報の受信を禁止すべきエリアに属すると判断された場合に、前記プッシュ型配信情報の受信を禁止すると決定するようにしてもよい。
【００１７】
好ましくは、利用者による自端末への入力操作に基づいて前記エリア情報記憶手段に前記受信エリア情報を登録または削除する手段を更に備えたことを特徴とするようにしてもよい。
【００１８】
また、本発明（請求項８）に係る無線端末は、プッシュ型配信情報を自発的に送信する無線基地局から、該プッシュ型配信情報を受信するための受信手段と、自端末に電力を供給する電池の残量を管理する管理手段と、前記残量に基づいて前記プッシュ型配信情報を受信するか否かを決定する決定手段とを備えたことを特徴とする。
【００１９】
また、本発明（請求項９）に係る無線端末は、プッシュ型配信情報を自発的に送信する無線基地局から、該プッシュ型配信情報を受信するための受信手段と、自端末内で前記プッシュ型配信情報を記憶可能な記憶装置の空き容量を管理する管理手段と、前記空き容量に基づいて前記プッシュ型配信情報を受信するか否かを決定する決定手段とを備えたことを特徴とする。
【００２０】
好ましくは、前記認識手段は、前記無線基地局から受信した制御情報に基づいて自端末の位置を認識するようにしてもよい。
あるいは、好ましくは、前記無線基地局とは異なる無線システムにおける無線基地局から送信された情報を受信する手段を更に備え、前記認識手段は、前記無線基地局とは異なる無線システムにおける無線基地局から受信した制御情報に基づいて自端末の位置を認識するようにしてもよい。
【００２１】
また、本発明（請求項１２）は、自局の属するエリア内に関連する情報を含むプッシュ型配信情報を自発的に送信する無線基地局から、該プッシュ型配信情報を受信可能な無線端末における、情報受信制御方法であって、自端末の位置するエリアに関する認識を行い、自端末の位置を認識し、前記自端末の位置の認識結果に基づいて、前記プッシュ型配信情報を受信するか否かを決定し、受信すると決定された場合にのみ、前記プッシュ型配信情報を受信することを特徴とする。
【００２２】
なお、装置に係る本発明は方法に係る発明としても成立し、方法に係る本発明は装置に係る発明としても成立する。
【００２３】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムを記録したコンピュータ読取り可能な記録媒体としても成立する。
【００２４】
本発明によれば、（無線端末から無線基地局に要求することなく）無線基地局がプッシュ型配信情報を無線基地局に送信するような無線通信システムにおいて、無線端末は、所定のエリア内においてのみ、無線基地局が送信するプッシュ型配信情報を受信することができる。特に、無線端末の利用者の希望に基づいて、プッシュ型配信情報を受信するエリアを選択することが可能となる。また、無線端末の利用者が無線端末に対して、プッシュ型配信情報の受信を希望するエリア、あるいは希望しないエリアを容易に登録することが可能となる。さらに、無線端末の使用可能な電池残量や、情報記憶装置の空き記憶容量が所定値以上ある場合にのみ、無線基地局が送信するプッシュ型配信の情報を受信するこができる。
【００２５】
このような本発明によれば、無線端末の要求とは無関係に無線基地局が送信するプッシュ型配信情報を、無線端末が過剰に頻繁に受信することを防止でき、無線端末の電池の浪費や、記憶装置の浪費を防止することが可能となる。
【００２６】
また、例えば、鉄道の駅にプッシュ型配信情報を送信する無線基地局を設置した場合には、利用者の自宅の最寄り駅や勤務先の最寄り駅、通学先の最寄り駅、外出先の最寄り駅等、無線端末の利用者が乗降する駅を選択して、所有する無線端末がプッシュ型配信情報を受信し、利用者が列車を乗降しない通勤途中の駅等では、無線端末は該プッシュ型配信情報を受信せずに済む。従って、鉄道の各駅毎に各駅周辺の広告情報を、プッシュ型配信情報として配信する場合には、その駅での広告情報の受信が有効である利用者の無線端末にのみ広告情報を配信することになり、効果的な広告配信が可能になる。
【００２７】
【発明の実施の形態】
以下、図面を参照しながら発明の実施の形態を説明する。
【００２８】
（第１の実施形態）
本発明の第１の実施形態に関して図１のブロック図、および図２の流れ図を参照しつつ説明する。図１は、本発明の第１の実施形態に係る無線端末の一例を示すブロック図であり、所定時間以上、同一のエリアに滞在した場合にプッシュ型配信の情報を受信する無線端末の構成例を示す。また、図２は本発明の第１の実施形態に係る無線端末の動作の一例を示す流れ図である。
【００２９】
図１に示されるように、無線端末１０１は、少なくとも、無線基地局が無線により送信する制御情報と、該無線端末１０１以外の装置の要求に基づいて（すなわち、無線端末１０１から要求することなく）該無線基地局が該無線端末１０１に対して無線により送信するプッシュ型配信情報とを受信する受信部１０２と、該受信部１０２が受信した制御情報を利用して該無線端末自身の位置を認識する位置認識部１０３と、該位置認識部１０３が認識した位置に関する情報を利用して、該無線端末１０１が同一のエリアに存在している時間を計測する時間計測部１０４と、該時間計測部１０４の計測した時間が所定時間を超える場合に、該無線基地局が送信する前記プッシュ型配信情報を受信するように受信部１０２を制御する受信制御部１０５とを含んで構成される。
【００３０】
なお、プッシュ型配信情報のエリアについて、同一のエリアを１台の無線基地局がカバーする場合と、複数台の無線基地局によりカバーする場合とがある。  また、駅に無線基地局を設置する場合に、例えばプラットホーム付近と改札付近と出札付近等の全てを同一のエリアとしてカバーする場合と、それらの一部だけカバーする場合とがある。また、例えばプラットホームとコンコースとを異なるエリアとするような場合、あるいは西口付近と東口付近とを異なるエリアとするような場合もある（すなわち、同一駅に複数のエリアを設ける場合もある）。
以上の点は第２の実施形態以降でも同様である。
【００３１】
以上のように構成された無線端末１０１の動作例を、図２の流れ図を参照しながら説明する。
【００３２】
該無線端末１０１の受信部１０２は、無線基地局が無線により報知する制御情報を受信しており、該制御情報を受信可能であるか否かにより、該無線端末１０１自身がサービスエリア内に存在するか否かを判断する（ステップＳ１）。
【００３３】
該無線端末１０１は、サービスエリア内に存在する場合には、位置認識部１０３が該制御情報に含まれている無線基地局識別子等を利用して、存在する位置を認識する。さらに、時間計測部１０４は、この位置情報に変化が生じたか否かを観測し、該無線端末１０１が一定のエリア内に滞在しているか否かを判断する（ステップＳ２〜Ｓ４）。
【００３４】
例えば、無線基地局に跨って移動していないか、または複数の無線基地局から構成される位置登録エリアに跨って移動していないかを判断する。また、例えば、鉄道駅に無線基地局を設置した場合には、所定の駅構内に滞在しているのか、あるいは列車に乗車している等の理由での新たな駅に移動したのかを判断する。
【００３５】
ステップＳ２で新たなエリアに移動したと判断した場合には、該時間計測部１０４は滞在時間の計測を終了し、計測値を初期値に設定する（ステップＳ７）。そして、ステップＳ１に戻る。
【００３６】
一方、サービスエリア内で移動していない、すなわち一定のエリア内に滞在していると判断した場合には、該時間計測部１０４は滞在時間の計測を行なう（ステップＳ３）。一定のエリア内に滞在していると判断している間は、ステップＳ４で滞在時間が所定の閾値を超えるまで、該時間計測部１０４は滞在時間の計測を継続する。
【００３７】
ステップＳ４で滞在時間が所定の閾値を越えると、受信制御部１０５は、受信部１０２に対して、無線基地局が送信するプッシュ型配信情報を受信するように制御する（ステップＳ５）。このプッシュ型配信情報としては、例えば無線基地局が放送している広告情報等が挙げられる。
【００３８】
なお、該時間計測部１０４の滞在時間の計測方法としては、単に時間を計測する方法の他に、無線基地局が無線により周期的に報知する制御情報を受信した回数を計測する方法でも良い。すなわち、同一の無線基地局識別子を含む報知制御情報を連続して所定回数以上受信した場合には同一のエリアに滞在していると判断し、受信制御部１０５は受信部１０２に対して、プッシュ型配信情報を受信するように制御する。
【００３９】
そして、当該サービスエリアから移動したならば（ステップＳ６）、ステップＳ１に戻る。
【００４０】
なお、受信するか否かの基準となる上記所定時間は、予め設定された不変の値もしくは使用者が変更することのできない値としてもよいが、上記所定時間を使用者が適宜調整可能とするようにしてもよい。
【００４１】
以上説明したように、本発明の無線端末は、一定のエリア内に所定時間以上滞在した場合にのみ、無線基地局が送信するプッシュ型配信の情報を受信することとなる。従って、無線端末の要求とは無関係に無線基地局が送信するプッシュ型配信情報を、無線端末が過剰に頻繁に受信することを防止でき、無線端末の電池の浪費や、記憶装置の浪費を防止することが可能となる。また、例えば、鉄道の駅に無線基地局を設置した場合には、駅で列車を乗降する乗客が所有する無線端末は該プッシュ型配信情報を受信し、通過する列車あるいは短時間停車する列車に乗車した乗客が所有する無線端末は、該プッシュ型配信の情報を受信せずに済む。従って、鉄道の各駅毎に各駅周辺の広告情報等を、プッシュ型配信情報として配信する場合には、その駅で乗降する乗客にのみ広告情報を配信することになり、効果的な広告配信が可能になる。さらに、その駅で乗降しない乗客には広告情報を配信しないことが可能となり、無線端末が過剰に大量の広告情報を受信することを防ぎ、無線端末の利用者の使い勝手を良くすることが可能となる。
【００４２】
（第２の実施形態）
本発明の第２の実施形態に関して図３のブロック図、および図２の流れ図を参照しつつ説明する。図３は本発明の第２の実施形態に係る無線端末の一例を示すブロック図であり、所定時間以上、同一のエリアに滞在した場合にプッシュ型配信の情報を受信する無線端末の構成例を示す。また、図２は本発明の第２の実施形態に係る無線端末の動作の一例を示す流れ図である。
【００４３】
第１の実施形態では、プッシュ型配信情報を送信する無線基地局から制御情報を受信するものであったが、本実施形態では、プッシュ型配信情報を送信する無線基地局とは異なる無線通信システムの無線基地局から制御情報を受信するものである。
【００４４】
図３に示されるように、無線端末１１１は、少なくとも、無線により情報を送信可能な第１の無線基地局が無線により送信する制御情報を受信する第１の受信部１１２と、該第１の無線基地局よりも高速に情報を送信可能な第２の無線基地局が、該無線端末１１１以外の装置の要求に基づいて（すなわち、無線端末１１１から要求することなく）該無線端末１１１に対して無線により送信するプッシュ型配信情報を受信する第２の受信部１１３と、該第１の受信部１１２が受信した制御情報を利用して該無線端末１１１自身の位置を認識する位置認識部１１４と、該位置認識部１１４が認識した位置に関する情報を利用して、該無線端末１１１が同一のエリアに存在している時間を計測する時間計測部１１５と、該時間計測部１１５の計測した時間が所定時間を超える場合に、該第２の無線基地局が送信する前記プッシュ型配信情報を受信するように第２の受信部１１３を制御する受信制御部１１６とを含んで構成される。
【００４５】
以上のように構成された無線端末１１１の動作例を、図２の流れ図を参照しながら説明する。
【００４６】
該無線端末１１１の第１の受信部１１２は、第１の無線基地局が無線により報知する制御情報を受信しており、該制御情報を利用して、該無線端末１１１自身が第２の無線基地局から情報を受信可能なサービスエリア内に存在するか否かを判断する（ステップＳ１）。これは、例えば、第１の無線基地局が報知する制御情報に、第２の無線基地局が近隣に存在するか否かを示す情報を含ませること等によって可能である。
【００４７】
該無線端末１１１は、サービスエリア内に存在する場合には、位置認識部１１４が該制御情報に含まれている第１の無線基地局の識別子等を利用して、存在する位置を認識する。なお、ここで該位置認識部１１４は、第２の無線基地局が送信する制御情報に含まれる第２の無線基地局の識別子等を利用して存在する位置を認識してもよい。
【００４８】
時間計測部１１５は、この位置情報に変化が生じたか否かを観測し、該無線端末１１１が一定のエリア内に滞在しているか否かを判断する（ステップＳ２〜Ｓ４）。
【００４９】
例えば、無線基地局に跨って移動していないか、または複数の無線基地局から構成される位置登録エリア等に跨って移動していないかを判断する。また例えば、鉄道駅に無線基地局を設置した場合には、特的の駅構内に滞在しているのか、あるいは列車に乗車していて新たな駅に移動したのかを判断する。
【００５０】
ステップＳ２で新たなエリアに移動したと判断した場合には、該時間計測部１１５は滞在時間の計測を終了し、計測値を初期値に設定する（ステップＳ７）。そして、ステップＳ１に戻る。
【００５１】
一方、移動していない、すなわち一定のエリア内に滞在していると判断した場合には、該時間計測部１１５は滞在時間の計測を行なう。一定のエリア内に滞在していると判断している間は、ステップＳ４で滞在時間が所定の閾値を超えるまで、該時間計測部１１５は滞在時間の計測を継続する。
【００５２】
ステップＳ４で滞在時間が所定の閾値を越えると、受信制御部１１６は第２の受信部１１３に対して、第２の無線基地局が送信するプッシュ型配信情報を受信するように制御する（ステップＳ５）。このプッシュ型配信情報としては、例えば無線基地局が放送している広告情報等が挙げられる。
【００５３】
なお、該時間計測部１１５の滞在時間の計測方法としては、単に時間を計測する方法の他に、第１もしくは第２の無線基地局が無線により周期的に報知する制御情報を受信した回数を計測する方法でも良い。すなわち、同一の無線基地局識別子を含む報知制御情報を連続して所定回数以上受信した場合には同一のエリアに滞在していると判断し、受信制御部１１６は第２の受信部１１３に対して、プッシュ型配信情報を受信するように制御する。
【００５４】
そして、当該サービスエリアから移動したならば（ステップＳ６）、ステップＳ１に戻る。
【００５５】
なお、第１の実施形態と同様に、上記所定時間は、使用者による変更を不可としてもよいし、使用者が適宜調整可能としてもよい。
【００５６】
以上説明したように、本発明の無線端末は、一定のエリア内に所定時間以上滞在した場合にのみ、無線基地局が送信するプッシュ型配信の情報を受信することとなる。従って、無線端末の要求とは無関係に無線基地局が送信するプッシュ型配信情報を、無線端末が過剰に頻繁に受信することを防止でき、無線端末の電池の浪費や、記憶装置の浪費を防止することが可能となる。また例えば、鉄道の駅に無線基地局を設置した場合には、駅で列車を乗降する乗客が所有する無線端末は該プッシュ型配信情報を受信し、列車に乗車した乗客が所有する無線端末は、該プッシュ型配信の情報を受信せずに済む。従って、鉄道の各駅毎に各駅周辺の広告情報等を、プッシュ型配信情報として配信する場合には、その駅で乗降する乗客にのみ広告情報を配信することになり、効果的な広告配信が可能になる。さらに、その駅で乗降しない乗客には広告情報を配信しないことが可能となり、無線端末が過剰に大量の広告情報を受信することを防ぎ、無線端末の利用者の使い勝手を良くすることが可能となる。
【００５７】
（第３の実施形態）
本発明の第３の実施形態に関して図４のブロック図、および図５、図６の流れ図を参照しつつ説明する。図４は本発明の第３の実施形態に係る無線端末の一例を示すブロック図であり、無線端末内の利用者に関する情報に基づいて、例えば利用者の居住地域や勤務先の近隣等のような、利用者にとってプッシュ型配信の情報の受信が有用であるエリアにおいてのみ、プッシュ型配信の情報を受信する無線端末の構成例を示す。また、図５、図６はそれぞれ本発明の第３の実施形態に係る無線端末の動作の一例を示す流れ図である。
【００５８】
図４に示されるように、無線端末２０１は、少なくとも、無線基地局が無線により送信する制御情報と、該無線端末２０１以外の装置の要求に基づいて（すなわち、無線端末２０１から要求することなく）該無線基地局が該無線端末２０１に対して無線により送信するプッシュ型配信情報とを受信する受信部２０２と、該受信部２０２が受信した制御情報を利用して該無線端末自身の位置を認識する位置認識部２０３と、該無線端末２０１の利用者に関する情報、例えば、自宅や勤務先、学校等の住所、郵便番号、電話番号等を記憶する利用者情報記憶部２０４と、該利用者情報記憶部２０４に記憶された情報を利用して、前記プッシュ型配信情報を受信するエリアを決定する受信エリア決定部２０５と、該受信エリア決定部２０５が決定したエリアに関する情報を記憶する受信制御用情報記憶部２０６と、位置認識部２０３の認識した位置と、該受信制御用情報記憶部２０６に記憶されている情報とに基づいて、該無線基地局が送信する前記プッシュ型配信情報を受信するか否かを判断し、受信部２０２を制御する受信制御部２０７とを含んで構成される。
【００５９】
以上のように構成された無線端末２０１の動作例を、図５および図６の流れ図を参照しながら説明する。
【００６０】
該無線端末２０１の受信部２０２は、無線基地局が無線により報知する制御情報を受信しており、該制御情報を受信可能であるか否かにより、該無線端末２０１自身がサービスエリア内に存在するか否かを判断する（ステップＳ１１）。
【００６１】
該無線端末２０１は、サービスエリア内に存在する場合には、位置認識部２０３が該制御情報に含まれている無線基地局識別子等を利用して、存在する位置を認識する。受信制御用情報記憶部２０６には、プッシュ型配信情報を受信するエリアの識別子、例えば無線基地局の識別子や、複数の無線基地基地局で構成するように定義されたエリアの識別子が記憶されており、受信制御部２０７はこの情報と、位置認識部２０３が認識した位置情報とを比較して、プッシュ型配信情報を受信するか否か判断する（ステップＳ１２）。
【００６２】
受信制御部２０７がプッシュ型配信情報を受信すると判断した場合には、受信部２０２はプッシュ型配信情報を受信し（ステップＳ１３）、受信しないと判断した場合には、該受信部２０２はプッシュ型配信情報を受信しない。
【００６３】
別のエリアに移動する度ごとに以上のような動作を行い、必要に応じてプッシュ型配信情報を受信する。
【００６４】
一方、無線端末２０１の利用者が利用者情報記憶部２０４に利用者情報（例えば、自宅や勤務先、学校等の住所、郵便番号、電話番号等）を入力すると（ステップＳ２１）、受信エリア決定部２０５は、この利用者情報を、プッシュ型配信情報を受信するエリアに対応する、無線基地局の識別子や、複数の無線基地基地局で構成するように定義されたエリアの識別子等に変換し（ステップＳ２２）、受信制御用情報記憶部２０６は、この識別子を記憶する（ステップＳ２３）。なお、この変換は、他の契機に行っても良く、例えば定期的に行っても良い。
【００６５】
例えば、利用者が住所、勤務先を入力すると、例えば内蔵した変換表を参照するなどして、その住所の近隣の駅と勤務先の近隣の駅とを求めた後、それら駅に対応する基地局の識別子に変換し、これを記憶するようにしてもよい。また、例えば、上記において、入力された住所の近隣の駅と勤務先の近隣の駅とに加えて、それら駅から決定される乗換駅（通勤経路が１つに特定できない場合には乗換駅の候補群）を求めた後、それら駅に対応する基地局の識別子に変換し、これを記憶するようにしてもよい。さらに、上記に加えて、その他の所定の条件を満たす駅（例えば、通過駅ではあるが買い物等のために一般的に途中下車する可能性の高い駅）をも加えるようにすることも可能である。
【００６６】
上記の例は、通勤の観点で利用者が下車することが必然である駅または高い可能性がある駅に焦点を絞ってプッシュ型配信情報を受信するようにしたものであるが、この他にももちろん様々な観点で受信対象とする駅もしくは受信エリアを絞ることが可能である。例えば、利用者に関する情報として、利用者の趣味や嗜好に関する情報を利用してもよい。また、利用者に関する情報として、利用者のスケジュール情報を利用してもよい。そして、このような種々の方法を組み合わせることも可能である。
【００６７】
このようにして、無線端末２０１は、例えばその利用者の自宅の最寄り駅や勤務先の最寄り駅等を選択して、駅周辺の広告情報のようなプッシュ型配信情報を受信することが可能となる。
【００６８】
以上説明したように、本発明の無線端末は、所定のエリア内においてのみ、無線基地局が送信するプッシュ型配信の情報を受信することとなる。特に、該無線端末の利用者の自宅住所や勤務先住所、スケジュール情報等に基づいてプッシュ型配信情報を受信することとなる。従って、無線端末の要求とは無関係に無線基地局が送信するプッシュ型配信情報を、無線端末が過剰に頻繁に受信することを防止でき、無線端末の電池の浪費や、記憶装置の浪費を防止することが可能となる。また、鉄道の駅に無線基地局を設置した場合には、利用者の自宅の最寄り駅や勤務先の最寄り駅、通学先の最寄り駅、外出時に利用する駅等、利用者が利用する駅を選択して、所有する無線端末が該プッシュ型配信情報を受信し、利用者が列車を乗降しない通勤途中の駅等では、無線端末は該プッシュ型配信情報を受信せずに済む。従って、鉄道の各駅毎に各駅周辺の広告情報等を、プッシュ型配信情報として配信する場合には、その駅で乗降する乗客にのみ広告情報等を配信することになり、効果的な広告配信が可能になる。
【００６９】
（第４の実施形態）
本発明の第４の実施形態に関して図７のブロック図、および図５、図８の流れ図を参照しつつ説明する。図７は本発明の第４の実施形態に係る無線端末の一例を示すブロック図であり、無線端末内の利用者に関する情報に基づいて、例えば利用者の居住地域や勤務先の近隣等のような、利用者にとってプッシュ型配信の情報の受信が有用であるエリアにおいてのみ、プッシュ型配信の情報を受信する無線端末の構成例を示す。また、図５、図８はそれぞれ本発明の第４の実施形態に係る無線端末の動作の一例を示す流れ図である。
【００７０】
第３の実施形態では、無線端末内で利用者に関する情報から受信エリアに関する情報を求めたが、本実施形態では、ネットワーク内の所定の装置に受信エリアに関する情報を求めてもらうようにしたものである。
【００７１】
図７に示されるように、無線端末２１１は、少なくとも、無線基地局が無線により送信する制御情報と、該無線端末２１１以外の装置の要求に基づいて（すなわち、無線端末２１１から要求することなく）該無線基地局が該無線端末２１１に対して無線により送信するプッシュ型配信情報とを受信する受信部２１２と、該受信部２１２が受信した制御情報を利用して該無線端末自身の位置を認識する位置認識部２１７と、該無線端末２１１の利用者に関する情報、例えば、自宅や勤務先、学校等の住所、郵便番号、電話番号等を記憶する利用者情報記憶部２１４と、該利用者情報記憶部２１４に記憶された情報をネットワークを介して送信する利用者情報送信部２１３と、該利用者情報送信部２１３が送信した情報に基づいて、ネットワーク内の装置が決定した、該無線端末２１１が前記プッシュ型配信情報を受信するエリアに関する情報を受信する、エリア情報受信部２１５と、該エリア情報受信部２１５が受信したエリアに関する情報を記憶する受信制御用情報記憶部２１６と、位置認識部２１７の認識した位置と、該受信制御用情報記憶部２１６に記憶されている情報とに基づいて、該無線基地局が送信する前記プッシュ型配信情報を受信するか否かを判断し、受信部２１２を制御する受信制御部２１８とを含んで構成される。
【００７２】
以上のように構成された無線端末２１１の動作例を、図５および図８の流れ図を参照しながら説明する。
【００７３】
該無線端末２１１の受信部２１２は無線基地局が無線により報知する制御情報を受信しており、該制御情報を受信可能であるか否かにより、該無線端末２１１自身がサービスエリア内に存在するか否かを判断する（ステップＳ１１）。
【００７４】
該無線端末２１１は、サービスエリア内に存在する場合には、位置認識部２１７が該制御情報に含まれている無線基地局識別子等を利用して、存在する位置を認識する。受信制御用情報記憶部２１６には、プッシュ型配信情報を受信するエリアの識別子、例えば無線基地局の識別子や、複数の無線基地基地局で構成するように定義されたエリアの識別子が記憶されており、受信制御部２１８はこの情報と、位置認識部２１７が認識した位置情報とを比較して、プッシュ型配信情報を受信するか否か判断する（ステップＳ１２）。
【００７５】
受信制御部２１８がプッシュ型配信情報を受信すると判断した場合には、受信部２１２はプッシュ型配信情報を受信し（ステップＳ１３）、受信しないと判断した場合には、該受信部２１２はプッシュ型配信情報を受信しない。
【００７６】
別のエリアに移動する度ごとに以上のような動作を行い、必要に応じてプッシュ型配信情報を受信する。
【００７７】
一方、無線端末２１１の利用者が利用者情報記憶部２１４に利用者情報を入力すると（ステップＳ３１）、利用者情報送信部２１３は、該利用者情報をネットワーク内の適当な装置宛てに送信する（ステップＳ３２）。利用者情報としては、例えば利用者の自宅や勤務先の郵便番号、住所、電話番号等が挙げられる。なお、該利用者情報の送信（ステップＳ２３）は、他の契機に行っても良く、例えば定期的に行っても良い。
【００７８】
該利用者情報を受信したネットワーク内の装置は、該利用者情報に基づいて無線端末２１１がプッシュ型配信情報を受信するエリアに対応する、無線基地局の識別子や、複数の無線基地基地局で構成するように定義されたエリアの識別子等に変換し、該無線端末２１１に対して送信する。
【００７９】
該無線端末２１１では、受信部２１２を介してエリア情報受信部２１５がこれらの情報を受信し（ステップＳ３３）、受信制御用情報記憶部２１６は、この識別子を記憶する（ステップＳ３４）。
【００８０】
このようにして、無線端末２１１は、例えばその利用者の自宅の最寄り駅や勤務先の最寄り駅等を選択して、駅周辺の広告情報のようなプッシュ型配信情報を受信することが可能となる。
【００８１】
なお、利用者に関する情報から基地局識別子等を求める方法については、第３の実施形態と同様に種々の方法を利用可能である。
【００８２】
以上説明したように、本発明の無線端末は、所定のエリア内においてのみ、無線基地局が送信するプッシュ型配信の情報を受信することとなる。特に、該無線端末の利用者の自宅住所や勤務先住所、スケジュール情報等に基づいてプッシュ型配信情報を受信することとなる。従って、無線端末の要求とは無関係に無線基地局が送信するプッシュ型配信情報を、無線端末が過剰に頻繁に受信することを防止でき、無線端末の電池の浪費や、記憶装置の浪費を防止することが可能となる。また、鉄道の駅に無線基地局を設置した場合には、利用者の自宅の最寄り駅や勤務先の最寄り駅、通学先の最寄り駅、外出時に利用する駅等、利用者が利用する駅を選択して、所有する無線端末が該プッシュ型配信情報を受信し、利用者が列車を乗降しない通勤途中の駅等では、無線端末は該プッシュ型配信情報を受信せずに済む。従って、鉄道の各駅毎に各駅周辺の広告情報等を、プッシュ型配信情報として配信する場合には、その駅で乗降する乗客にのみ広告情報等を配信することになり、効果的な広告配信が可能になる。
【００８３】
（第５の実施形態）
本発明の第５の実施形態に関して図９のブロック図、および図５、図６の流れ図を参照しつつ説明する。図９は本発明の第５の実施形態に係る無線端末の一例を示すブロック図であり、無線端末内の利用者に関する情報に基づいて、例えば利用者の居住地域や勤務先の近隣等のような、利用者にとってプッシュ型配信の情報の受信が有用であるエリアにおいてのみ、プッシュ型配信の情報を受信する無線端末の構成例を示す。また、図５、図６はそれぞれ本発明の第５の実施形態に係る無線端末の動作の一例を示す流れ図である。
【００８４】
本実施形態では、第３の実施形態に対して、プッシュ型配信情報を送信する無線基地局とは異なる無線通信システムにより制御情報を受信するようにしたものである。
【００８５】
図９に示されるように、無線端末２２１は、少なくとも、無線により情報を送信可能な第１の無線基地局が無線により送信する制御情報を受信する第１の受信部２２４と、該第１の無線基地局よりも高速に情報を送信可能な第２の無線基地局が、該無線端末２２１以外の装置の要求に基づいて（すなわち、無線端末２２１から要求することなく）該無線端末２２１に対して無線により送信するプッシュ型配信情報を受信する第２の受信部２２２と、該第１の受信部２２４が受信した制御情報を利用して該無線端末自身の位置を認識する位置認識部２２３と、該無線端末２２１の利用者に関する情報、例えば、自宅や勤務先、学校等の住所、郵便番号、電話番号等を記憶する利用者情報記憶部２２５と、該利用者情報記憶部２２５に記憶された情報を利用して、前記プッシュ型配信情報を受信するエリアを決定する受信エリア決定部２２６と、該受信エリア決定部２２６が決定したエリアに関する情報を記憶する受信制御用情報記憶部２２７と、位置認識部２２３の認識した位置と、該受信制御用情報記憶部２２７に記憶されている情報とに基づいて、該第２の無線基地局が送信する前記プッシュ型配信情報を受信するか否かを判断し、第２の受信部２２２を制御する受信制御部２２８とを含んで構成される。
【００８６】
以上のように構成された無線端末２２１の動作例を、図５および図６の流れ図を参照しながら説明する。
【００８７】
該無線端末２２１の第１の受信部２２４は、第１の無線基地局が無線により報知する制御情報を受信しており、該制御情報を利用して、該無線端末２２１自身が第２の無線基地局から情報を受信可能なサービスエリア内に存在するか否かを判断する（ステップＳ１１）。これは、例えば第１の無線基地局が報知する制御情報に、第２の無線基地局が近隣に存在するか否かを示す情報を含ませること等によって可能である。
【００８８】
該無線端末２２１は、サービスエリア内に存在する場合には、位置認識部２２３が該制御情報に含まれている第１の無線基地局の無線基地局識別子等を利用して、存在する位置を認識する。受信制御用情報記憶部２２７には、プッシュ型配信情報を受信するエリアの識別子、例えば第１の無線基地局の識別子や、複数の第１の無線基地基地局で構成するように定義されたエリアの識別子が記憶されており、受信制御部２２８はこの情報と、位置認識部２２３が認識した位置情報とを比較して、プッシュ型配信情報を受信するか否か判断する（ステップＳ１２）。
【００８９】
受信制御部２２８がプッシュ型配信情報を受信すると判断した場合には、第２の受信部２２２はプッシュ型配信情報を受信し（ステップＳ１３）、受信しないと判断した場合には、該第２の受信部２２２はプッシュ型配信情報を受信しない。
【００９０】
別のエリアに移動する度ごとに以上のような動作を行い、必要に応じてプッシュ型配信情報を受信する。
【００９１】
一方、無線端末２２１の利用者が利用者情報記憶部２２５に利用者情報を入力すると（ステップＳ２１）、受信エリア決定部２２６は、プッシュ型配信情報を受信するエリアに対応する、無線基地局の識別子や、複数の無線基地基地局で構成するように定義されたエリアの識別子等に変換し（ステップＳ２２）、受信制御用情報記憶部２２７はこの識別子を記憶する（ステップＳ２３）。なお、この変換は、他の契機に行っても良く、例えば定期的に行っても良い。
【００９２】
このようにして、無線端末２２１は、例えばその利用者の自宅の最寄り駅や勤務先の最寄り駅等を選択して、駅周辺の広告情報のようなプッシュ型配信情報を受信することが可能となる。
【００９３】
なお、利用者に関する情報から基地局識別子等を求める方法については、第３の実施形態と同様に種々の方法を利用可能である。
【００９４】
以上説明したように、本発明の無線端末は、所定のエリア内においてのみ、無線基地局が送信するプッシュ型配信の情報を受信することとなる。特に、該無線端末の利用者の自宅住所や勤務先住所、スケジュール情報等に基づいてプッシュ型配信情報を受信することとなる。従って、無線端末の要求とは無関係に無線基地局が送信するプッシュ型配信情報を、無線端末が過剰に頻繁に受信することを防止でき、無線端末の電池の浪費や、記憶装置の浪費を防止することが可能となる。また、鉄道の駅に無線基地局を設置した場合には、利用者の自宅の最寄り駅や勤務先の最寄り駅、通学先の最寄り駅、外出時に利用する駅等、利用者が利用する駅を選択して、所有する無線端末が該プッシュ型配信情報を受信し、利用者が列車を乗降しない通勤途中の駅等では、無線端末は該プッシュ型配信情報を受信せずに済む。従って、鉄道の各駅毎に各駅周辺の広告情報等を、プッシュ型配信情報として配信する場合には、その駅で乗降する乗客にのみ広告情報等を配信することになり、効果的な広告配信が可能になる。
【００９５】
（第６の実施形態）
本発明の第６の実施形態に関して図１０のブロック図、および図５、図８の流れ図を参照しつつ説明する。図１０は本発明の第６の実施形態に係る無線端末の一例を示すブロック図であり、無線端末内の利用者に関する情報に基づいて、例えば利用者の居住地域や勤務先の近隣等のような、利用者にとってプッシュ型配信の情報の受信が有用であるエリアにおいてのみ、プッシュ型配信の情報を受信する無線端末の構成例を示す。また、図５、図８はそれぞれ本発明の第６の実施形態に係る無線端末の動作の一例を示す流れ図である。
【００９６】
本実施形態では、第４の実施形態に対して、プッシュ型配信情報を送信する無線基地局とは異なる無線通信システムにより制御情報を受信するようにしたものである。
【００９７】
図１０に示されるように、無線端末２３１は、少なくとも、無線により情報を送信可能な第１の無線基地局が無線により送信する制御情報を受信する第１の受信部２３５と、該第１の無線基地局よりも高速に情報を送信可能な第２の無線基地局が、該無線端末２３１以外の装置の要求に基づいて（すなわち、無線端末２３１から要求することなく）該無線端末２３１に対して無線により送信するプッシュ型配信情報を受信する第２の受信部２３２と、該第１の受信部２３５が受信した制御情報を利用して該無線端末自身の位置を認識する位置認識部２３４と、該無線端末２３１の利用者に関する情報、例えば、自宅や勤務先、学校等の住所、郵便番号、電話番号等を記憶する利用者情報記憶部２３６と、該利用者情報記憶部２３６に記憶された情報をネットワークを介して送信する利用者情報送信部２３７と、該利用者情報送信部２３７が送信した情報に基づいて、ネットワーク内の装置が決定した、該無線端末２３１が前記プッシュ型配信情報を受信するエリアに関する情報を受信する、エリア情報受信部２３９と、該エリア情報受信部２３９が受信したエリアに関する情報を記憶する受信制御用情報記憶部２３８と、位置認識部２３４の認識した位置と、該受信制御用情報記憶部２３８に記憶されている情報とに基づいて、該第２の無線基地局が送信する前記プッシュ型配信情報を受信するか否かを判断し、第２の受信部２３２を制御する受信制御部２３３とを含んで構成される。
【００９８】
以上のように構成された無線端末２３１の動作例を、図５および図８の流れ図を参照しながら説明する。
【００９９】
該無線端末２３１の第１の受信部２３５は第１の無線基地局が無線により報知する制御情報を受信しており、該制御情報を利用して、該無線端末２３１自身が第２の無線基地局から情報を受信可能なサービスエリア内に存在するか否かを判断する（ステップＳ１１）。これは、例えば第１の無線基地局が報知する制御情報に、第２の無線基地局が近隣に存在するか否かを示す情報を含ませること等によって可能である。
【０１００】
該無線端末２３１は、サービスエリア内に存在する場合には、位置認識部２３４が該制御情報に含まれている無線基地局識別子等を利用して、存在する位置を認識する。受信制御用情報記憶部２３８には、プッシュ型配信情報を受信するエリアの識別子、例えば無線基地局の識別子や、複数の無線基地基地局で構成するように定義されたエリアの識別子が記憶されており、受信制御部２３３はこの情報と、位置認識部２３４が認識した位置情報とを比較して、プッシュ型配信情報を受信するか否か判断する（ステップＳ１２）。
【０１０１】
受信制御部２３３がプッシュ型配信情報を受信すると判断した場合には、第２の受信部２３２はプッシュ型配信情報を受信し（ステップＳ１３）、受信しないと判断した場合には、該第２の受信部２３２はプッシュ型配信情報を受信しない。
【０１０２】
別のエリアに移動する度ごとに以上のような動作を行い、必要に応じてプッシュ型配信情報を受信する。
【０１０３】
一方、無線端末２３１の利用者が利用者情報記憶部２３６に利用者情報を入力すると（ステップＳ３１）、利用者情報送信部２３７は、該利用者情報をネットワーク内の適当な装置宛てに送信する（ステップＳ３２）。利用者情報としては、例えば利用者の自宅や勤務先の郵便番号、住所、電話番号等が挙げられる。なお、該利用者情報の送信（ステップＳ２３）は、他の契機に行っても良く、例えば定期的に行っても良い。
【０１０４】
該利用者情報を受信したネットワーク内の装置は、該利用者情報に基づいて無線端末２３１がプッシュ型配信情報を受信するエリアに対応する、無線基地局の識別子や、複数の無線基地局で構成するように定義されたエリアの識別子等に変換し、該無線端末２３１に対して送信する。
【０１０５】
該無線端末２３１では、第２の受信部２３２を介してエリア情報受信部２３９がこれらの情報を受信し（ステップＳ３３）、受信制御用情報記憶部２３８は、この識別子を記憶する（ステップＳ３４）。
【０１０６】
このような動作により例えば、利用者が住所、勤務先を入力すると、ネットワーク内の装置がその近隣の基地局識別子を求め、これを無線端末２３１が受信し記憶する。
【０１０７】
このようにして、無線端末２３１は、例えばその利用者の自宅の最寄り駅や勤務先の最寄り駅等を選択して、駅周辺の広告情報のようなプッシュ型配信情報を受信することが可能となる。
【０１０８】
なお、利用者に関する情報から基地局識別子等を求める方法については、第３の実施形態と同様に種々の方法を利用可能である。
【０１０９】
また、上記では無線端末２３１において、第２の受信部２３２を介して識別子等の情報を受信するものとしたが、第１の受信部２３５を介してこれらの情報を受信するように構成してもよい。
【０１１０】
以上説明したように、本発明の無線端末は、所定のエリア内においてのみ、無線基地局が送信するプッシュ型配信の情報を受信することとなる。特に、該無線端末の利用者の自宅住所や勤務先住所、スケジュール情報等に基づいてプッシュ型配信情報を受信することとなる。従って、無線端末の要求とは無関係に無線基地局が送信するプッシュ型配信情報を、無線端末が過剰に頻繁に受信することを防止でき、無線端末の電池の浪費や、記憶装置の浪費を防止することが可能となる。また、鉄道の駅に無線基地局を設置した場合には、利用者の自宅の最寄り駅や勤務先の最寄り駅、通学先の最寄り駅、外出時に利用する駅等、利用者が利用する駅を選択して、所有する無線端末が該プッシュ型配信情報を受信し、利用者が列車を乗降しない通勤途中の駅等では、無線端末は該プッシュ型配信情報を受信せずに済む。従って、鉄道の各駅毎に各駅周辺の広告情報等を、プッシュ型配信情報として配信する場合には、その駅で乗降する乗客にのみ広告情報等を配信することになり、効果的な広告配信が可能になる。
【０１１１】
（第７の実施形態）
本発明の第７の実施形態に関して図１１、図１２のブロック図、および図５、図１３の流れ図を参照しつつ説明する。図１１、図１２はそれぞれ本発明の第７の実施形態に係る無線端末の一例を示すブロック図であり、プッシュ型配信の情報を受信するエリアを記憶しておき、例えば利用者の居住地域や勤務先の近隣等のような、利用者にとってプッシュ型配信の情報の受信が有用であるエリアにおいてのみ、プッシュ型配信の情報を受信する無線端末の構成例を示す。また、図５、図１３はそれぞれ本発明の第７の実施形態に係る無線端末の動作の一例を示す流れ図である。
【０１１２】
図１１に示されるように、無線端末３０１は、少なくとも、無線基地局が無線により送信する制御情報と、該無線端末３０１以外の装置の要求に基づいて（すなわち、無線端末３０１から要求することなく）該無線基地局が該無線端末３０１に対して無線により送信するプッシュ型配信情報とを受信する受信部３０２と、該受信部３０２が受信した制御情報を利用して該無線端末自身の位置を認識する位置認識部３０３と、前記プッシュ型配信情報を受信するエリアに関する情報を記憶する受信制御用情報記憶部３０４と、位置認識部３０３の認識した位置と、該受信制御用情報記憶部３０４に記憶されている情報とに基づいて、該無線基地局が送信する前記プッシュ型配信情報を受信するか否かを判断し、受信部３０２制御する受信制御部３０５とを含んで構成される。
【０１１３】
以上のように構成された無線端末３０１の動作例を、図５の流れ図を参照しながら説明する。
【０１１４】
該無線端末３０１の受信部３０２は、無線基地局が無線により報知する制御情報を受信しており、該制御情報を受信可能であるか否かにより、該無線端末３０１自身がサービスエリア内に存在するか否かを判断する（ステップＳ１１）。
【０１１５】
該無線端末３０１は、サービスエリア内に存在する場合には、位置認識部３０３が該制御情報に含まれている無線基地局識別子等を利用して、存在する位置を認識する。受信制御用情報記憶部３０４には、プッシュ型配信情報を受信するエリアの識別子、例えば無線基地局の識別子や、複数の無線基地基地局で構成するように定義されたエリアの識別子が記憶されており、受信制御部３０５はこの情報と、位置認識部３０３が認識した位置情報とを比較して、プッシュ型配信情報を受信するか否か判断する（ステップＳ１２）。
【０１１６】
受信制御部３０５がプッシュ型配信情報を受信すると判断した場合には、受信部３０２はプッシュ型配信情報を受信し（ステップＳ１３）、受信しないと判断した場合には、該受信部３０２はプッシュ型配信情報を受信しない。
【０１１７】
例えば無線基地局識別子により判断する場合には、受信制御部３０５は、位置認識部３０３が認識した無線基地局識別子が受信制御用情報記憶部３０４内に記憶されているか否かを調べ、記憶されている場合には、プッシュ型配信情報を受信するように受信部３０２を制御する。
【０１１８】
別のエリアに移動する度ごとに以上のような動作を行い、無線端末３０１は必要に応じてプッシュ型配信情報を受信する。
【０１１９】
一方、図１２のブロック図に示す無線端末３１１は、図１１のブロック図に示す無線端末３０１と同様の動作をするが、プッシュ型配信情報を受信するエリアを利用者が登録できるように、情報受信エリア登録部３０６を含んで構成されている。この場合には、図１３に例示されるように、利用者がプッシュ型配信情報の受信を希望するエリアを登録すると（ステップＳ４１）、該無線端末３１１の受信制御用情報記憶部はそのエリアを記憶する（ステップＳ４２）。
【０１２０】
例えば、該無線端末３１１を携帯している利用者が、その場所でプッシュ型配信情報を受信したい場合に該無線端末３１１に対して、特定のボタンを押すなどの所定の操作を行なう。位置認識部３０３は受信部３０２を介して無線基地局識別子等により位置を認識しており、利用者がこのような操作を行なった場合には、その時点で認識している位置情報、例えば無線基地局識別子を受信制御用情報記憶部３０４が記憶する。受信制御用情報記憶部３０４に一度記憶されたら、利用者が登録を抹消するための操作を行なうまで記憶し続けるようにしてもよいし、あるいは登録後所定時間経過すると削除するようにしてもよい。
【０１２１】
また、別の登録方法例としては、プッシュ型配信情報を配信しているエリア一覧を無線端末３１１に提供し、利用者はそのエリア一覧の中から、プッシュ型配信情報の受信を希望するエリアを選択して登録する方法でも良い。もちろん、登録したエリアを削除可能としてもよい。
【０１２２】
また、例えば、外部のＰＣ等から無線端末３０１の受信制御用情報記憶部３２５の登録内容を操作可能としてもよい。例えば、外部のＰＣの画面上に、電車の路線図を表示し、使用者が所望の駅を選択可能とし、選択された駅に対応する無線基地局識別子等をＰＣから無線端末３２１に転送して、受信制御用情報記憶部３２５に登録するようにしてもよい。また、使用者がＰＣに入力したキーワードに関連する駅を路線図上に表示し、使用者の指示によってそれら駅に対応する無線基地局識別子等をＰＣから無線端末３２１に転送して、受信制御用情報記憶部３２５に登録するようにしてもよい。また、無線端末３２１の受信制御用情報記憶部３２５に現在設定されている内容を、路線図上に表示するようにしてもよい。その他、種々のグラフィカル・ユーザ・インタフェースが実現可能である。
【０１２３】
上記点は、後述する第８〜第１０の実施形態についても同様である。
【０１２４】
なお、受信制御用情報は、例えば外部のＰＣ等から無線端末３０１に転送して、受信制御用情報記憶部３０４へ記憶させるか、あるいは無線端末３０１に登録／削除用のユーザ・インタフェースを設け、これを介して記憶させるようにしてもよい。
【０１２５】
以上のような動作により、例えば、鉄道の駅に無線基地局が設置されている場合、利用者が日常的に利用する自宅や勤務先の最寄り駅等において、プッシュ型配信情報を受信するように登録することにより、利用者が無線端末を操作することなく、希望する駅においてプッシュ型配信情報を無線端末が受信することが可能となる。特に、各駅の無線基地局においてその駅周辺の広告情報や地域固有の情報をプッシュ型配信情報として送信する場合、利用者の無線端末は利用者の希望に従って、これらの情報を受信することが可能となる。
【０１２６】
以上説明したように、本発明の無線端末は、所定のエリア内においてのみ、無線基地局が送信するプッシュ型配信の情報を受信することとなる。特に、無線端末の利用者の希望に基づいて、プッシュ型配信情報を受信することとなる。また、無線端末の利用者が無線端末に対して、プッシュ型配信情報を受信する希望のエリアを容易に登録することが可能となる。従って、無線端末の要求とは無関係に無線基地局が送信するプッシュ型配信情報を、無線端末が過剰に頻繁に受信することを防止でき、無線端末の電池の浪費や、記憶装置の浪費を防止することが可能となる。また、鉄道の駅に無線基地局を設置した場合には、利用者の自宅の最寄り駅や勤務先の最寄り駅、通学先の最寄り駅等、利用者が日常的に利用する駅を選択して、所有する無線端末が該プッシュ型配信情報を受信し、利用者が列車を乗降しない通勤途中の駅等では、無線端末は該プッシュ型配信情報を受信せずに済む。従って、鉄道の各駅毎に各駅周辺の広告情報を、プッシュ型配信情報として配信する場合には、その駅での広告情報の受信を希望する利用者の無線端末にのみ広告情報を配信することになり、効果的な広告配信が可能になる。
【０１２７】
（第８の実施形態）
本発明の第８の実施形態に関して図１４、図１５のブロック図、および図５、図１３の流れ図を参照しつつ説明する。図１４、図１５はそれぞれ本発明の第８の実施形態に係る無線端末の一例を示すブロック図であり、プッシュ型配信の情報を受信するエリアを記憶しておき、例えば利用者の居住地域や勤務先の近隣等のような、利用者にとってプッシュ型配信の情報の受信が有用であるエリアにおいてのみ、プッシュ型配信の情報を受信する無線端末の構成例を示す。また、図５、図１３はそれぞれ本発明の第８の実施形態に係る無線端末の動作の一例を示す流れ図である。
【０１２８】
本実施形態では、第７の実施形態に対して、プッシュ型配信情報を送信する無線基地局とは異なる無線通信システムにより制御情報を受信するようにしたものである。
【０１２９】
図１４に示されるように、無線端末３２１は、少なくとも、無線により情報を送信可能な第１の無線基地局が無線により送信する制御情報を受信する第１の受信部３２４と、該第１の無線基地局よりも高速に情報を送信可能な第２の無線基地局が、該無線端末３２１以外の装置の要求に基づいて（すなわち、無線端末３２１から要求することなく）該無線端末３２１に対して無線により送信するプッシュ型配信情報を受信する第２の受信部３２２と、該第１の受信部３２４が受信した制御情報を利用して該無線端末自身の位置を認識する位置認識部３２３と、前記プッシュ型配信情報を受信するエリアに関する情報を記憶する受信制御用情報記憶部３２５と、位置認識部３２３の認識した位置と、該受信制御用情報記憶部３２５に記憶されている情報とに基づいて、該第２の無線基地局が送信する前記プッシュ型配信情報を受信するか否かを判断し、第２の受信部３２２を制御する受信制御部３２６とを含んで構成される。
【０１３０】
以上のように構成された無線端末３２４の動作例を、図５の流れ図を参照しながら説明する。
【０１３１】
該無線端末３２１の第１の受信部３２４は、第１の無線基地局が無線により報知する制御情報を受信しており、該制御情報を利用して、該無線端末３２１自身が第２の無線基地局から情報を受信可能なサービスエリア内に存在するか否かを判断する（ステップＳ１１）。これは、例えば第１の無線基地局が報知する制御情報に、第２の無線基地局が近隣に存在するか否かを示す情報を含ませること等によって可能である。
【０１３２】
該無線端末３２１は、サービスエリア内に存在する場合には、位置認識部３２３が該制御情報に含まれている第１の無線基地局の無線基地局識別子等を利用して、存在する位置を認識する。なお、第２の無線基地局の無線基地局識別子を利用して位置を認識してもよい。受信制御用情報記憶部３２５には、プッシュ型配信情報を受信するエリアの識別子、例えば第１の無線基地局の識別子や、複数の第１の無線基地基地局で構成するように定義されたエリアの識別子が記憶されており、受信制御部３２６はこの情報と、位置認識部３２３が認識した位置情報とを比較して、プッシュ型配信情報を受信するか否か判断する（ステップＳ１２）。なお、受信制御用情報記憶部３２５に記憶されている情報としては、第２の無線基地局の識別子や、複数の第２の無線基地局で構成されるように定義されたエリアの識別子でも良い。
【０１３３】
受信制御部３２６がプッシュ型配信情報を受信すると判断した場合には、第２の受信部３２２はプッシュ型配信情報を受信し（ステップＳ１３）、受信しないと判断した場合には、該第２の受信部３２２はプッシュ型配信情報を受信しない。
【０１３４】
例えば第１の無線基地局の無線基地局識別子により判断する場合には、受信制御部３２６は、位置認識部３２３が認識した第１の無線基地局の無線基地局識別子が受信制御用情報記憶部３２５内に記憶されているか否かを調べ、記憶されている場合には、プッシュ型配信情報を受信するように第２の受信部３２２を制御する。
【０１３５】
別のエリアに移動する度ごとに以上のような動作を行い、無線端末３２１は必要に応じてプッシュ型配信情報を受信する。
【０１３６】
一方、図１５のブロック図に示す無線端末３２１は、図１４のブロック図に示す無線端末３２１と同様の動作をするが、プッシュ型配信情報を受信するエリアを利用者が登録できるように、情報受信エリア登録部３２７を含んで構成されている。この場合には、図１３に例示されるように、利用者がプッシュ型配信情報の受信を希望するエリアを登録すると（ステップＳ４１）、該無線端末３３１は受信制御用情報記憶部３２５はそのエリアを記憶する（ステップＳ４２）。
【０１３７】
例えば、該無線端末３３１を携帯している利用者が、その場所でプッシュ型配信情報を受信したい場合に該無線端末３３１に対して、特定のボタンを押すなどの所定の操作を行なう。位置認識部３２３は第１の受信部３２４を介して無線基地局識別子等により位置を認識しており、利用者がこのような操作を行なった場合には、受信制御用情報記憶部３２５は、その時点で認識している位置情報、例えば無線基地局識別子を記憶する。受信制御用情報記憶部３２５に一度記憶されたら、利用者が登録を抹消するための操作を行なうまで記憶し続けるようにしてもよいし、登録後所定時間経過すると削除するようにしてもよい。
【０１３８】
また、別の登録方法例としては、プッシュ型配信情報を配信しているエリアの一覧を無線端末３３１に提供し、利用者はそのエリアの一覧の中から、プッシュ型配信情報の受信を希望するエリアを選択して登録する方法でも良い。
【０１３９】
また、第７の実施形態で説明したように、外部のＰＣ等から無線端末３２１を操作可能としてもよい。
【０１４０】
以上のような動作により、例えば、鉄道の駅に無線基地局が設置されている場合、利用者が日常的に利用する自宅や勤務先の最寄り駅等において、プッシュ型配信情報を受信するように登録することにより、利用者が無線端末を操作することなく、希望する駅においてプッシュ型配信情報を無線端末が受信することが可能となる。特に、各駅の無線基地局においてその駅周辺の広告情報や地域固有の情報をプッシュ型配信情報として送信する場合、利用者の無線端末は利用者の希望に従って、これらの情報を受信することが可能となる。
【０１４１】
以上説明したように、本発明の無線端末は、所定のエリア内においてのみ、無線基地局が送信するプッシュ型配信の情報を受信することとなる。特に、無線端末の利用者の希望に基づいて、プッシュ型配信情報を受信することとなる。また、無線端末の利用者が無線端末に対して、プッシュ型配信情報を受信する希望のエリアを容易に登録することが可能となる。従って、無線端末の要求とは無関係に無線基地局が送信するプッシュ型配信情報を、無線端末が過剰に頻繁に受信することを防止でき、無線端末の電池の浪費や、記憶装置の浪費を防止することが可能となる。また、鉄道の駅に無線基地局を設置した場合には、利用者の自宅の最寄り駅や勤務先の最寄り駅、通学先の最寄り駅等、利用者が日常的に利用する駅を選択して、所有する無線端末が該プッシュ型配信情報を受信し、利用者が列車を乗降しない通勤途中の駅等では、無線端末は該プッシュ型配信情報を受信せずに済む。従って、鉄道の各駅毎に各駅周辺の広告情報を、プッシュ型配信情報として配信する場合には、その駅での広告情報の受信を希望する利用者の無線端末にのみ広告情報を配信することになり、効果的な広告配信が可能になる。
【０１４２】
（第９の実施形態）
本発明の第９の実施形態に関して図１６、図１８のブロック図、および図１７、図１９の流れ図を参照しつつ説明する。図１６、図１８はそれぞれ本発明の第９の実施形態に係る無線端末の一例を示すブロック図であり、プッシュ型配信の情報の受信を禁止するエリアを記憶しておき、例えば利用者の居住地域や勤務先の近隣等のように利用者が受信を希望するエリアにおいてのみ、プッシュ型配信の情報を受信する無線端末の構成例を示す。また、図１７、図１９はそれぞれ本発明の第９の実施形態に係る無線端末の動作の一例を示す流れ図である。
【０１４３】
図１６に示されるように、無線端末４０１は、少なくとも、無線基地局が無線により送信する制御情報と、該無線端末４０１以外の装置の要求に基づいて（すなわち、無線端末４０１から要求することなく）該無線基地局が該無線端末４０１に対して無線により送信するプッシュ型配信情報とを受信する受信部４０２と、該受信部４０２が受信した制御情報を利用して該無線端末自身の位置を認識する位置認識部４０３と、前記プッシュ型配信情報を受信するエリアに関する情報を記憶する受信制御用情報記憶部４０４と、位置認識部４０３の認識した位置と、該受信制御用情報記憶部４０４に記憶されている情報とに基づいて、該無線基地局が送信する前記プッシュ型配信情報を受信するか否かを判断し、受信部４０２を制御する受信制御部４０５とを含んで構成される。
【０１４４】
以上のように構成された無線端末４０１の動作例を、図１７の流れ図を参照しながら説明する。
【０１４５】
該無線端末４０１の受信部４０２は、無線基地局が無線により報知する制御情報を受信しており、該制御情報を受信可能であるか否かにより、該無線端末４０１自身がサービスエリア内に存在するか否かを判断する（ステップＳ５１）。
【０１４６】
該無線端末４０１は、サービスエリア内に存在する場合には、位置認識部４０３が該制御情報に含まれている無線基地局識別子等を利用して、存在する位置を認識する。受信制御用情報記憶部４０４には、プッシュ型配信情報の受信を禁止するエリアの識別子、例えば無線基地局の識別子や、複数の無線基地基地局で構成するように定義されたエリアの識別子が記憶されており、受信制御部４０５はこの情報と、位置認識部４０３が認識した位置情報とを比較して、プッシュ型配信情報を受信するか否か判断する（ステップＳ５２）。
【０１４７】
受信制御部４０５がプッシュ型配信情報を受信すると判断した場合には、受信部４０２はプッシュ型配信情報を受信し（ステップＳ５３）、受信しないと判断した場合には、該受信部４０２はプッシュ型配信情報を受信する動作を行なわない。
【０１４８】
例えば無線基地局識別子により判断する場合には、受信制御部４０５は、位置認識部４０３が認識した無線基地局識別子が受信制御用情報記憶部４０４内に記憶されているか否かを調べ、記憶されていない場合には、プッシュ型配信情報を受信するように受信部４０２を制御する。
【０１４９】
別のエリアに移動する度ごとに以上のような動作を行い、無線端末４０１は必要に応じてプッシュ型配信情報を受信する。
【０１５０】
一方、図１８のブロック図に示す無線端末４１１は、図１６のブロック図に示す無線端末４０１と同様の動作をするが、プッシュ型配信情報の受信を禁止するエリアを利用者が登録できるように、情報受信禁止エリア登録部４０６を含んで構成されている。この場合には、図１９に例示されるように、利用者がプッシュ型配信情報の受信を禁止したいエリアを登録すると（ステップＳ６１）、該無線端末４１１は受信制御用情報記憶部４０４はそのエリアを記憶する（ステップＳ６２）。
【０１５１】
例えば、該無線端末４１１を携帯している利用者が、その場所でプッシュ型配信情報の受信を禁止したい場合には、該無線端末４１１に対して特定のボタンを押すなどの所定の操作を行なう。位置認識部４０３は受信部４０２を介して無線基地局識別子等により位置を認識しており、利用者がこのような操作を行なった場合には、その時点で認識している位置情報、例えば無線基地局識別子を受信制御用情報記憶部４０４が記憶する。受信制御用情報記憶部４０４に一度記憶されたら、利用者が登録を抹消するための操作を行なうまで記憶し続けるようにしてもよいし、登録後所定時間経過すると削除するようにしてもよい。
【０１５２】
また、別の登録方法例としては、プッシュ型配信情報を配信しているエリア一覧を無線端末４１１に提供し、利用者はそのエリア一覧の中から、プッシュ型配信情報の受信を禁止するエリアを選択して登録する方法でも良い。
【０１５３】
また、第７の実施形態で説明したように、外部のＰＣ等から無線端末３２１を操作可能としてもよい。
【０１５４】
以上のような動作により、例えば、鉄道の駅に無線基地局が設置されている場合、利用者が日常的に利用しない、通勤や通学途中の駅等において、プッシュ型配信情報の受信を禁止するように登録することにより、プッシュ型配信情報の受信を希望しない駅においてプッシュ型配信情報を無線端末が受信することを防止することが可能となる。特に、各駅の無線基地局においてその駅周辺の広告情報や地域固有の情報をプッシュ型配信情報として送信する場合、利用者の無線端末は利用者の希望に従って、日常的に利用する駅以外では、これらの情報の受信を防止することが可能となる。
【０１５５】
以上説明したように、本発明の無線端末は、所定のエリア内においてのみ、無線基地局が送信するプッシュ型配信の情報を受信することとなる。特に、無線端末の利用者の希望に基づいて、プッシュ型配信情報を受信することとなる。また、無線端末の利用者が無線端末に対して、プッシュ型配信情報の受信を希望しないエリアを容易に登録することが可能となる。従って、無線端末の要求とは無関係に無線基地局が送信するプッシュ型配信情報を、無線端末が過剰に頻繁に受信することを防止でき、無線端末の電池の浪費や、記憶装置の浪費を防止することが可能となる。また、鉄道の駅に無線基地局を設置した場合には、利用者の自宅の最寄り駅や勤務先の最寄り駅、通学先の最寄り駅等、利用者が日常的に利用する駅を選択して、所有する無線端末が該プッシュ型配信情報を受信し、利用者が列車を乗降しない通勤途中の駅等では、無線端末は該プッシュ型配信情報を受信せずに済む。従って、鉄道の各駅毎に各駅周辺の広告情報を、プッシュ型配信情報として配信する場合には、その駅での広告情報の受信を希望する利用者の無線端末にのみ広告情報を配信することになり、効果的な広告配信が可能になる。
【０１５６】
（第１０の実施形態）
本発明の第１０の実施形態に関して図２０、図２１のブロック図、および図１７、図１９の流れ図を参照しつつ説明する。図２０、図２１はそれぞれ本発明の第１０の実施形態に係る無線端末の一例を示すブロック図であり、プッシュ型配信の情報の受信を禁止するエリアを記憶しておき、例えば利用者の居住地域や勤務先の近隣等のように利用者が受信を希望するエリアにおいてのみ、プッシュ型配信の情報を受信する無線端末の構成例を示す。また、図１７、図１９はそれぞれ本発明の第１０の実施形態に係る無線端末の動作の一例を示す流れ図である。
【０１５７】
本実施形態では、第９の実施形態に対して、プッシュ型配信情報を送信する無線基地局とは異なる無線通信システムにより制御情報を受信するようにしたものである。
【０１５８】
図２０に示されるように、無線端末４２１は、少なくとも、無線により情報を送信可能な第１の無線基地局が無線により送信する制御情報を受信する第１の受信部４２４と、該第１の無線基地局よりも高速に情報を送信可能な第２の無線基地局が、該無線端末４２１以外の装置の要求に基づいて（すなわち、無線端末４２１から要求することなく）該無線端末４２１に対して無線により送信するプッシュ型配信情報を受信する第２の受信部４２２と、該第１の受信部４２４が受信した制御情報を利用して該無線端末自身の位置を認識する位置認識部４２３と、前記プッシュ型配信情報の受信を禁止するエリアに関する情報を記憶する受信制御用情報記憶部４２５と、位置認識部４２３の認識した位置と、該受信制御用情報記憶部４２５に記憶されている情報とに基づいて、該第２の無線基地局が送信する前記プッシュ型配信情報を受信するか否かを判断し、第２の受信部４２２を制御する受信制御部４２６とを含んで構成される。
【０１５９】
以上のように構成された無線端末４２１の動作例を、図１７の流れ図を参照しながら説明する。
【０１６０】
該無線端末４２１の第１の受信部４２４は、第１の無線基地局が無線により報知する制御情報を受信しており、該制御情報を利用して、該無線端末４２１自身が第２の無線基地局から情報を受信可能なサービスエリア内に存在するか否かを判断する（ステップＳ５１）。これは、例えば第１の無線基地局が報知する制御情報に、第２の無線基地局が近隣に存在するか否かを示す情報を含ませること等によって可能である。
【０１６１】
該無線端末４２１は、サービスエリア内に存在する場合には、位置認識部４２３が該制御情報に含まれている第１の無線基地局の無線基地局識別子等を利用して、存在する位置を認識する。なお、第２の無線基地局の無線基地局識別子を利用して位置を認識してもよい。受信制御用情報記憶部４２５には、プッシュ型配信情報の受信を禁止するエリアの識別子、例えば第１の無線基地局の識別子や、複数の第１の無線基地基地局で構成するように定義されたエリアの識別子が記憶されており、受信制御部４２６はこの情報と、位置認識部４２３が認識した位置情報とを比較して、プッシュ型配信情報を受信するか否か判断する（ステップＳ５２）。なお、受信制御用情報記憶部４２５に記憶されている情報としては、第２の無線基地局の識別子や、複数の第２の無線基地局で構成されるように定義されたエリアの識別子でも良い。
【０１６２】
受信制御部４２６がプッシュ型配信情報を受信すると判断した場合には、第２の受信部４２２はプッシュ型配信情報を受信し（ステップＳ５３）、受信しないと判断した場合には、該第２の受信部４２２はプッシュ型配信情報を受信しない。
【０１６３】
例えば第１の無線基地局の無線基地局識別子により判断する場合には、受信制御部４２６は、位置認識部４２３が認識した第１の無線基地局の無線基地局識別子が受信制御用情報記憶部４２５内に記憶されているか否かを調べ、記憶されていない場合には、プッシュ型配信情報を受信するように第２の受信部４２２を制御する。
【０１６４】
別のエリアに移動する度ごとに以上のような動作を行い、無線端末４２１は必要に応じてプッシュ型配信情報を受信する。
【０１６５】
一方、図２１のブロック図に示す無線端末４３１は、図２０のブロック図に示す無線端末４２１と同様の動作をするが、プッシュ型配信情報の受信を禁止するエリアを利用者が登録できるように、情報受信禁止エリア登録部４２７を含んで構成されている。この場合には、図１９に例示されるように、利用者がプッシュ型配信情報の受信を希望しないエリアを登録すると（ステップＳ６１）、該無線端末４３１は受信制御用情報記憶部４２５はそのエリアを記憶する（ステップＳ６２）。例えば、該無線端末４３１を携帯している利用者が、その場所でプッシュ型配信情報を受信したくない場合に該無線端末４３１に対して、特定のボタンを押すなどの所定の操作を行なう。位置認識部４２３は第１の受信部４２４を介して無線基地局識別子等により位置を認識しており、利用者がこのような操作を行なった場合には、受信制御用情報記憶部４２５は、その時点で認識している位置情報、例えば無線基地局識別子を記憶する。受信制御用情報記憶部４２５に一度記憶されたら、利用者が登録を抹消するための操作を行なうまで記憶し続けるようにしてもよいし、登録後所定時間経過すると削除するようにしてもよい。
【０１６６】
また、別の登録方法例としては、プッシュ型配信情報を配信しているエリアの一覧を無線端末４３１に提供し、利用者はそのエリアの一覧の中から、プッシュ型配信情報の受信を禁止したいエリアを選択して登録する方法でも良い。
【０１６７】
また、第７の実施形態で説明したように、外部のＰＣ等から無線端末３２１を操作可能としてもよい。
【０１６８】
以上のような動作により、例えば、鉄道の駅に無線基地局が設置されている場合、利用者が日常的に利用しない、通勤や通学途中の駅等において、プッシュ型配信情報の受信を禁止するように登録することにより、プッシュ型配信情報の受信を希望しない駅においてプッシュ型配信情報を無線端末が受信することを防止することが可能となる。特に、各駅の無線基地局においてその駅周辺の広告情報や地域固有の情報をプッシュ型配信情報として送信する場合、利用者の無線端末は利用者の希望に従って、日常的に利用する駅以外では、これらの情報の受信を防止することが可能となる。
【０１６９】
以上説明したように、本発明の無線端末は、所定のエリア内においてのみ、無線基地局が送信するプッシュ型配信の情報を受信することとなる。特に、無線端末の利用者の希望に基づいて、プッシュ型配信情報を受信することが可能となる。また、無線端末の利用者が無線端末に対して、プッシュ型配信情報の受信を希望しないエリアを容易に登録することが可能となる。従って、無線端末の要求とは無関係に無線基地局が送信するプッシュ型配信情報を、無線端末が過剰に頻繁に受信することを防止でき、無線端末の電池の浪費や、記憶装置の浪費を防止することが可能となる。また、鉄道の駅に無線基地局を設置した場合には、利用者の自宅の最寄り駅や勤務先の最寄り駅、通学先の最寄り駅等、利用者が日常的に利用する駅を選択して、所有する無線端末が該プッシュ型配信情報を受信し、利用者が列車を乗降しない通勤途中の駅等では、無線端末は該プッシュ型配信情報を受信せずに済む。従って、鉄道の各駅毎に各駅周辺の広告情報を、プッシュ型配信情報として配信する場合には、その駅での広告情報の受信を希望する利用者の無線端末にのみ広告情報を配信することになり、効果的な広告配信が可能になる。
【０１７０】
（第１１の実施形態）
本発明の第１１の実施形態に関して図２２のブロック図、および図２３の流れ図を参照しつつ説明する。図２２は本発明の第１１の実施形態に係る無線端末の一例を示すブロック図であり、無線端末の電池残量が所定値以上の場合に、プッシュ型配信の情報を受信する無線端末の構成例を示す。また、図２３は本発明の第１１の実施形態に係る無線端末の動作の一例を示す流れ図である。
【０１７１】
図２２に示されるように、無線端末５０１は、少なくとも、無線基地局が無線により送信する制御情報と、該無線端末５０１以外の装置の要求に基づいて（すなわち、無線端末５０１から要求することなく）該無線基地局が該無線端末５０１に対して無線により送信するプッシュ型配信情報とを受信する受信部５０２と、該無線端末自身に電力を供給する電池５０３と、該電池の残量を管理する電池残量管理部５０４と、該電池残量管理部５０４が管理している電池の残量の値に基づいて、該無線基地局が送信する前記プッシュ型配信情報を受信するか否かを判断し、受信部５０２を制御する受信制御部５０５とを含んで構成される。
【０１７２】
以上のように構成された無線端末５０１の動作例を、図２３の流れ図を参照しながら説明する。
【０１７３】
該無線端末５０１の受信部５０２は、無線基地局が無線により報知する制御情報を受信しており、該制御情報を受信可能であるか否かにより、該無線端末５０１自身がサービスエリア内に存在するか否かを判断する（ステップＳ７１）。
【０１７４】
電池残量管理部５０４は、電池５０３の使用可能な残量を監視して、受信制御部５０５に対して所定のタイミングにおいて電池残量を報告する。なお、ここで電池残量管理部５０４は、電池残量が所定値以下になった場合に受信制御部５０５にその旨を報告しても良いし、受信制御部５０５が必要に応じて電池残量管理部５０４に電池残量を問い合せてもよい。このようにして、少なくとも該無線端末５０１がサービスエリア内にいる場合には、受信制御部５０５は電池残量に関する情報を把握することができ、該電池残量が所定値よりも少なくなったことを認識すると（ステップＳ７２）、無線基地局が送信するプッシュ型配信情報の受信を禁止するように受信部５０２を制御する。
【０１７５】
一方、受信制御部５０５が、電池残量が所定値以上であると認識した場合には、プッシュ型配信情報の受信を行なうように受信部５０２を制御する（ステップＳ７２，Ｓ７３）。
【０１７６】
これらの動作の後、該無線端末５０１の要求に基づいて受信するプル型配信情報を受信する要求がある場合には（ステップＳ７４）、この情報を受信するように、受信部５０２を制御する（ステップＳ７５）。
【０１７７】
別のエリアに移動する度ごとに以上のような動作を行い、無線端末５０１は電池残量が所定値以上の場合にのみ、プッシュ型配信情報を受信する。
【０１７８】
なお、本実施形態においても、第２の実施形態等のように、プッシュ型配信情報を送信する無線基地局とは異なる無線通信システムにより制御情報を受信する構成も可能である。
【０１７９】
以上説明したように、本発明の無線端末は、使用可能な電池残量が所定値以上ある場合にのみ、無線基地局が送信するプッシュ型配信の情報を受信することとなる。従って、無線端末の要求とは無関係に無線基地局が送信するプッシュ型配信情報を、無線端末が過剰に頻繁に受信することを防止でき、無線端末の電池の浪費や、記憶装置の浪費を防止することが可能となる。例えば、多くの鉄道の駅に無線基地局を設置した場合に、利用者の自宅の最寄り駅から勤務先の最寄り駅、あるいは通学先の最寄り駅等まで列車に乗車した際、各駅に到着する度にプッシュ型配信情報を受信し、電池切れや記憶装置を全て使い果たす等の不便さを利用者に与えることを防ぐことが可能である。また、無線端末の要求に基づいて受信するプル型配信情報を受信するための電池残量を残しておくことが可能となる。従って、鉄道の各駅毎に各駅周辺の広告情報を、プッシュ型配信情報として配信する場合に、無線端末がプッシュ型配信情報を過剰に受信しすぎて、プル型配信情報を受信不可能になる事態を防止することができ、利用者にとって使い勝手の良い無線端末を提供することが可能となる。
【０１８０】
（第１２の実施形態）
本発明の第１２の実施形態に関して図２４のブロック図、および図２５の流れ図を参照しつつ説明する。図２４は本発明の第１２の実施形態に係る無線端末の一例を示すブロック図であり、無線端末の記憶容量が所定値以上の場合に、プッシュ型配信の情報を受信する無線端末の構成例を示す。また、図２５は本発明の第１２の実施形態に係る無線端末の動作の一例を示す流れ図である。
【０１８１】
図２４に示されるように、無線端末６０１は、少なくとも、無線基地局が無線により送信する制御情報と、該無線端末６０１以外の装置の要求に基づいて（すなわち、無線端末６０１から要求することなく）該無線基地局が該無線端末６０１に対して無線により送信するプッシュ型配信情報とを受信する受信部６０２と、該受信部６０２が受信した情報等を記憶しておく情報記憶装置６０３と、該情報記憶装置６０３の使用可能な記憶容量を管理する記憶容量管理部６０４と、該記憶容量管理部６０４が管理している情報記憶装置６０３の使用可能な記憶容量の値に基づいて、該無線基地局が送信する前記プッシュ型配信情報を受信するか否かを判断し、受信部６０２を制御する受信制御部６０５とを含んで構成される。
【０１８２】
以上のように構成された無線端末６０１の動作例を、図２５の流れ図を参照しながら説明する。
【０１８３】
該無線端末６０１の受信部６０２は、無線基地局が無線により報知する制御情報を受信しており、該制御情報を受信可能であるか否かにより、該無線端末６０１自身がサービスエリア内に存在するか否かを判断する（ステップＳ８１）。また、サービスエリア内において該無線端末６０１が受信部６０２を介して受信したプッシュ型配信情報等は、情報記憶装置６０３に記憶させることが可能である。記憶容量管理部６０４は、該情報記憶装置６０３の使用可能な空き記憶容量を監視して、受信制御部６０５に対して所定のタイミングにおいて空き記憶容量を報告する。なお、ここで記憶容量管理部６０４は、空き記憶容量が所定値以下になった場合に受信制御部６０５にその旨を報告しても良いし、受信制御部６０５が必要に応じて記憶容量管理部６０４に空き記憶残量を問い合せてもよい。このようにして、少なくとも該無線端末６０１がサービスエリア内にいる場合には、受信制御部６０５は、使用可能な空き記憶容量に関する情報を把握することができ、該空き記憶容量が所定値よりも少なくなったことを認識すると（ステップＳ８２）、無線基地局が送信するプッシュ型配信情報の受信を禁止するように受信部６０２を制御する。一方、受信制御部６０５が、使用可能な空き記憶容量が所定値以上であると認識した場合には、プッシュ型配信情報の受信を行なうように受信部６０２を制御する（ステップＳ８２，Ｓ８３）。
【０１８４】
これらの動作の後、該無線端末６０１の要求に基づいて受信するプル型配信情報を受信する要求がある場合には（ステップＳ８４）、この情報を受信するように、受信部６０２を制御する（ステップＳ８５）。
【０１８５】
別のエリアに移動する度ごとに以上のような動作を行い、無線端末６０１は情報記憶装置６０３の使用可能な空き記憶容量が所定値以上の場合にのみプッシュ型配信情報を受信する。
【０１８６】
なお、本実施形態においても、第２の実施形態等のように、プッシュ型配信情報を送信する無線基地局とは異なる無線通信システムにより制御情報を受信する構成も可能である。
【０１８７】
以上説明したように、本発明の無線端末は、情報記憶装置の使用可能な空き記憶容量が所定値以上ある場合にのみ、無線基地局が送信するプッシュ型配信の情報を受信することとなる。従って、無線端末の要求とは無関係に無線基地局が送信するプッシュ型配信情報を、無線端末が過剰に頻繁に受信することを防止でき、無線端末の電池の浪費や、記憶装置の浪費を防止することが可能となる。例えば、鉄道の各駅に無線基地局を設置して、鉄道の各駅毎に各駅周辺の広告情報をプッシュ型配信情報として配信する場合に、列車の乗客の無線端末がプッシュ型配信情報を過剰に多くの駅において受信して、情報記憶装置を使い果たしたり、電池を消耗しすぎることを防止する。従って、無線端末はプッシュ型配信情報以外の情報を記憶するための記憶容量を確保しておくことが可能となり、無線端末の要求に基づいて受信するプル型配信情報を受信不可能になる事態を防止でき、利用者にとって使い勝手の良い無線端末を提供することが可能となる。
【０１８８】
以下では、これまで説明してきた各実施形態のバリエーションについて説明する。
【０１８９】
まず、以上で説明した各実施形態におけるプッシュ型配信情報の受信制御の方法については、適宜組み合わせて実施することが可能である。
【０１９０】
複数の受信制御方法を組み合わせた場合、ある受信制御方法では受信すると決定され、他の受信制御方法では受信しないと決定されるといったことがあるので、いずれの受信制御方法の決定を優先させるかをあらかじめ定めておくようにしてもよいし、あるいは一つの受信制御方法で受信すると決定されたならば受信することにするようにしてもよいし、すべての受信制御方法で受信すると決定されたときにのみ受信することにするようにしてもよいし、多数決をとっても良いし、総合的に評価して決定してもよい。
【０１９１】
例えば、一定時間以上の滞留を受信条件とする方法と、登録されたエリアであることを受信条件とする方法とを併用する場合、一定時間以上滞留したエリアに加えて登録されたエリアについても受信させる制御や、登録されたエリアのうち一定時間以上滞留したエリアでのみ受信させる制御などが考えられる。また、例えば、使用者が明示的に受信または受信禁止を指定したエリアはその指定を最優先に決定することもできる。
【０１９２】
また、複数容易された受信制御方法のうちから使用者が利用したいものを選択できるようにしてもよい。
【０１９３】
次に、受信エリアまたは受信禁止エリアの設定・登録の方法についても、適宜組み合わせて実施することが可能である。例えば、第３の実施形態におけるようにユーザに関する情報を利用する方法と、第７の実施形態におけるように受信エリアをユーザが指定する方法とを組み合わせることも可能である。
【０１９４】
次に、これまでの実施形態では、無線端末側でプッシュ型配信情報を受信するか否かを決定し、この決定に従うようにしたが、この決定とは別の受信制御をさらに行うことも可能である。例えばある駅の無線基地局から送信された特定の識別情報が付加された情報だけは、無線端末側の決定結果にかかわらずに強制的に受信するようにしてもよい。このようにすれば、なるべく多くの利用者に知って貰いたい特定の情報を、なるべく多くの無線端末に受信させることができる。さらに、この場合に、該特定の識別情報が付加された情報は常に受信するか、無線端末側でプッシュ型配信情報を受信しないことが決定された場合には、該特定の識別情報が付加された情報についても受信しないようにするかについて、使用者が設定可能とすることも可能である。
【０１９５】
次に、これまでの実施形態では、エリア毎にプッシュ型配信情報を受信するか否かを決定したが、その代わりに、プッシュ型配信情報を受信するデータ量もしくは情報数等を決定するようにしてもよい。例えば、送信されているプッシュ型配信情報を全て受信するランクと、全く受信しないランクの他に、送信されているプッシュ型配信情報をＮｉ個だけ受信するｉ段階のランクを設け、対象となったエリアがどのランクに該当するかを決定するようにしてもよい。この決定の方法としては、例えば、予め使用者が各エリア毎にランクを設定するようにしてもよいし、使用者に関する情報に基づいて適宜設定するようにしてもよいし（使用者に関係しそうな駅ほど上位のランクとする）、同一エリアへの滞在時間に基づいて適宜設定するようにしてもよいし（滞在時間が長いほど上位ランクとする）、その他にも種々の方法が可能である。
【０１９６】
次に、これまでの実施形態では、鉄道の各駅に当該駅の範囲内をサービスエリアとする無線基地局を設置し、その無線基地局からその駅の周辺に関する広告情報や地域情報等をプッシュ型配信情報として送信する場合を例にとって説明したが、もちろん、本発明は、鉄道以外でも種々の場合に適用可能である。例えば、交差点付近を１つのサービスエリアとする無線基地局を設置し、無線端末を持つ使用者が自動車を運転して移動するような場合にも適用可能である。また、例えば、街の各所（例えば、店舗等）に無線基地局を設置し、無線端末を持つ使用者が買い物等で街を歩くような場合にも適用可能である。
【０１９７】
なお、以上の各機能は、ソフトウェアとしても実現可能である。
【０１９８】
また、本実施形態は、コンピュータに所定の手段を実行させるための（あるいはコンピュータを所定の手段として機能させるための、あるいはコンピュータに所定の機能を実現させるための）プログラムを記録したコンピュータ読取り可能な記録媒体としても実施することもできる。
【０１９９】
本発明は、上述した実施の形態に限定されるものではなく、その技術的範囲において種々変形して実施することができる。
【０２００】
【発明の効果】
本発明によれば、無線端末の利用者が要求する場所あるいは無線端末の利用者が利用する可能性のある場所などにおいてのみプッシュ型配信情報を受信し記憶するようにしたので、利用者にとって使い勝手の良い無線端末を実現するとともに、効果的な広告情報等の配信を実現することができる。また、これによって、電力消費、記憶装置の容量を無駄に消費することを防止することができる。
【図面の簡単な説明】
【図１】本発明に係る第１の実施形態の無線端末の構成例を示す図
【図２】本発明に係る第１、第２の実施形態の無線端末の動作例を示すフローチャート
【図３】本発明に係る第２の実施形態の無線端末の構成例を示す図
【図４】本発明に係る第３の実施形態の無線端末の構成例を示す図
【図５】本発明に係る第３〜第８の実施形態の無線端末の動作例を示すフローチャート
【図６】本発明に係る第３、第５の実施形態の無線端末の動作例を示すフローチャート
【図７】本発明に係る第４の実施形態の無線端末の構成例を示す図
【図８】本発明に係る第４、第６の実施形態の無線端末の動作例を示すフローチャート
【図９】本発明に係る第５の実施形態の無線端末の構成例を示す図
【図１０】本発明に係る第６の実施形態の無線端末の構成例を示す図
【図１１】本発明に係る第７の実施形態の無線端末の構成例を示す図
【図１２】本発明に係る第７の実施形態の無線端末の他の構成例を示す図
【図１３】本発明に係る第７、第８の実施形態の無線端末の動作例を示すフローチャート
【図１４】本発明に係る第８の実施形態の無線端末の構成例を示す図
【図１５】本発明に係る第８の実施形態の無線端末の他の構成例を示す図
【図１６】本発明に係る第９の実施形態の無線端末の構成例を示す図
【図１７】本発明に係る第９、第１０の実施形態の無線端末の動作例を示すフローチャート
【図１８】本発明に係る第９の実施形態の無線端末の他の構成例を示す図
【図１９】本発明に係る第９、第１０の実施形態の無線端末の他の動作例を示すフローチャート
【図２０】本発明に係る第１０の実施形態の無線端末の構成例を示す図
【図２１】本発明に係る第１０の実施形態の無線端末の構成例を示す図
【図２２】本発明に係る第１１の実施形態の無線端末の構成例を示す図
【図２３】本発明に係る第１１の実施形態の無線端末の動作例を示すフローチャート
【図２４】本発明に係る第１２の実施形態の無線端末の構成例を示す図
【図２５】本発明に係る第１２の実施形態の無線端末の動作例を示すフローチャート
【図２６】従来の無線端末の構成例を示す図
【図２７】従来無線端末の動作例を示すフローチャート
【符号の説明】
１０１，１１１，２０１，２１１，２２１，２３１，３０１，３１１，３２１，３３１，４０１，４１１，４２１，４３１，５０１，６０１…無線端末
１０２，２０２，２１２，３０２，４０２，５０２，６０２…受信部
１０３，１１４，２０３，２１７，２２３，２３４，３０３，３２３，４０３，４２３…位置認識部
１０４，１１５…時間計測部
１０５，１１６，２０７，２１８，２２８，２３３，３０５，３２６，４０５，４２６，５０５，６０５…受信制御部
１１２，２２４，２３５，３２４，４２４…第１の受信部
１１３，２２２，２３２，３２２，４２２…第２の受信部
２０４，２１４，２２５，２３６…利用者情報記憶部
２０５，２２６…受信エリア決定部
２０６，２１６，２２７，２３８，３０４，３２５，４０４，４２５…受信制御用情報記憶部
２１３，２３７…利用者情報送信部
２１５，２３９…エリア情報受信部
３０６，３２７…情報受信エリア登録部
４０６，４２７…情報受信禁止エリア登録部
５０３…電池
５０４…電池残量管理部
６０３…情報記憶部
６０４…記憶容量管理部
【図１】
0003697373.tif 000002
【図２】
0003697373.tif 000003
【図３】
0003697373.tif 000004
【図４】
0003697373.tif 000005
【図５】
0003697373.tif 000006
【図６】
0003697373.tif 000007
【図７】
0003697373.tif 000008
【図８】
0003697373.tif 000009
【図９】
0003697373.tif 000010
【図１０】
0003697373.tif 000011
【図１１】
0003697373.tif 000012
【図１２】
0003697373.tif 000013
【図１３】
0003697373.tif 000014
【図１４】
0003697373.tif 000015
【図１５】
0003697373.tif 000016
【図１６】
0003697373.tif 000017
【図１７】
0003697373.tif 000018
【図１８】
0003697373.tif 000019
【図１９】
0003697373.tif 000020
【図２０】
0003697373.tif 000021
【図２１】
0003697373.tif 000022
【図２２】
0003697373.tif 000023
【図２３】
0003697373.tif 000024
【図２４】
0003697373.tif 000025
【図２５】
0003697373.tif 000026
【図２６】
0003697373.tif 000027
【図２７】
0003697373.tif 000028